(57)【特許請求の範囲】
【請求項１】
契約利用者の二輪車に対する施錠/開錠を行い二輪車入出庫を規制するロック手段をそれぞれ備える複数の二輪車保管手段、及び、上記ロック手段の施錠/開錠を制御する制御装置、を備える駐輪場装置であって、上記制御装置が、契約利用者を特定するＩＤ情報を記憶するＩＤ情報記憶手段、契約利用者がそのＩＤ情報を入力する入力手段、該入力手段によって入力されたＩＤ情報を上記ＩＤ情報記憶手段に記憶されたＩＤ情報と照合し、利用者を識別する識別手段を備え、該識別手段による識別結果に応じて上記ロック手段を制御するようにした、少なくとも1つの駐輪場装置と、
該駐輪場装置の上記制御装置に接続されたコンピュータシステムであって、該コンピュータシステムが、上記制御装置から上記駐輪場装置の二輪車保管手段の空き情報を収集して記憶する空き情報記憶手段、該記憶手段に記憶される空き情報を含む上記駐輪場装置のデータをコンテンツとするサイトを備えるウエブサーバー、ネットワークの端末機器から送信された上記駐輪場装置の二輪車保管手段の利用申込みに基づき、利用申込者に上記駐輪場装置の特定の二輪車保管手段を割り当てる手段、その利用申込者を契約利用者として、その契約利用者を特定するＩＤ情報を決めるＩＤ情報決定手段、及び、該契約利用者のＩＤ情報を上記駐輪場装置のＩＤ情報記憶装置に記憶させるために同ＩＤ情報を上記駐輪場装置の制御装置に送信するＩＤ情報送信手段を備え、上記空き情報記憶手段は、上記ＩＤ情報を含む契約利用者の利用契約に関する情報を記憶するようにしてある駐輪場装置管理システム。
【請求項２】
上記コンピュータシステムが、利用申込みの契約が成立したことを示す情報を利用申込者の端末機器に送信する送信手段を有する請求項１に記載の駐輪装置管理システム。
【請求項３】
上記コンピュータシステムが、上記二輪車割当手段が二輪車保管手段の割り当てを行うことに応じて、割り当てられた二輪車保管手段の上記ロック手段を施錠状態にするよう指示する信号を上記制御装置に送信するための送信手段を有する請求項１もしくは２に記載の駐輪装置管理システム。
【請求項４】
上記コンピュータシステムが、駐輪装置を運営する機関に設けられたホストコンピュータを有し、該ホストコンピュータが上記二輪車空き情報記憶手段、及び、該空き情報記憶手段に記憶された空き情報や上記契約に関する情報を上記ウエブサーバーにコンテンツとして送信する送信手段を有する請求項1、２もしくは３に記載の駐輪装置管理システム。
【請求項５】
契約利用者の二輪車に対する施錠/開錠を行い二輪車入出庫を規制するロック手段をそれぞれ備える複数の二輪車保管手段、及び、上記ロック手段の施錠/開錠を制御する制御装置、を備える駐輪場装置であって、上記制御装置が、契約利用者を特定するＩＤ情報を記憶するＩＤ情報記憶手段、契約利用者がそのＩＤ情報を入力するＩＤ情報入力手段、該ＩＤ情報入力手段によって入力されたＩＤ情報を上記ＩＤ情報記憶手段に記憶されたＩＤ情報と照合し、利用者を識別する識別手段、空いている二輪車保管手段を表示する空き情報表示手段、空き情報表示手段に表示された空いている二輪車保管手段から契約利用者が、利用を希望する二輪車保管手段を指定入力する利用希望指定入力手段、該利用希望指定入力手段から入力された入力希望指定の情報と、上記識別手段からの識別結果の情報とに基き、利用希望指定の二輪車保管手段の上記ロック手段を制御する制御手段を有することを特徴とする駐輪場装置。
【請求項６】
請求項５に記載の少なくとも１つの駐輪場装置を管理する駐輪場装置管理システムであって、駐輪場装置の上記制御装置に接続されたコンピュータシステムを有し、該コンピュータシステムが、上記制御装置から上記駐輪場装置の二輪車保管手段の空き情報を収集して記憶する空き情報記憶手段、該記憶手段に記憶される空き情報を含む上記駐輪場装置のデータをコンテンツとするサイトを備えるウエブサーバー、ネットワークの端末機器から送信された上記駐輪場装置の二輪車保管手段の利用申込みに基づき、その利用申込者を契約利用者として、その契約利用者を特定するＩＤ情報を決めるＩＤ情報決定手段、及び、該契約利用者のＩＤ情報を上記駐輪場装置のＩＤ情報記憶装置に記憶させるために同ＩＤ情報を上記駐輪場装置の制御装置に送信するＩＤ情報送信手段を備え、上記空き情報記憶手段は、上記ＩＤ情報を含む契約利用者の利用契約に関する情報を記憶するようにしてある駐輪場装置管理システム。
【請求項７】
上記コンピュータシステムが、利用申込みの契約が成立したことを示す情報を利用申込者の端末機器に送信する送信手段を有する請求項６に記載の駐輪装置管理システム。
【発明の詳細な説明】
【０００１】
【産業上の利用分野】
本発明は、二輪車の駐輪場を管理するシステムに関する。
【０００２】
【従来技術】
二輪車を保管する駐輪場は、通常、管理者が常駐し、この管理者が二輪車の出入を規制するゲートの開閉や料金精算等の管理を行っている。しかし、このような管理方法では、人件費がかかるばかりでなく、管理を行う管理会社等及び利用者の双方にとっての使用上の利便性に問題がある。
【０００３】
まず、管理者が必要であるために、利用時間に制限が生じる。
また、駐輪場は、多くの場合、空きが少なく、利用希望者は、駐輪場を運営する会社等に頻繁に空き情報の問い合わせをしなければならず、また、空きがある場合でも、契約手続きが煩わしい。
【０００４】
これに対して、管理者を必要としない駐輪場も出てきており、そのような駐輪場では、利用者に予めＩＤカード等を発行し、利用者がそれを用いてゲートの開閉や、利用料金の精算等を行うようにし、管理人常駐の駐輪場での問題に対処しようとしている。
【０００５】
【発明が解決しようとする課題】
しかしながら、使用上の利便性という点では、まだ多くの改良が望まれており、本発明では、そのような点での改良を行った駐輪場装置管理システムを提供することを目的としている。
【０００６】
【課題を解決するための手段】
すなわち、本発明は、契約利用者の二輪車に対する施錠/開錠を行い二輪車入出庫を規制するロック手段（以下に示す発明の実施形態において、参照番号６で示す）をそれぞれ備える複数の二輪車保管手段（保管ラック４として示す）、及び、ロック手段の施錠/開錠を制御する制御手段（１４）を備える駐輪場装置であって、制御手段が、契約利用者を特定するＩＤ情報を記憶するＩＤ情報記憶手段（１０）、契約利用者がそのＩＤ情報を入力する入力手段（８）、該入力手段によって入力されたＩＤ情報をＩＤ情報記憶手段に記憶登録されたＩＤ情報と照合し、利用者を識別する識別手段（１２）を備え、該識別手段による識別結果に応じてロック手段を制御するようにした、少なくとも1つの駐輪場装置（３）と；該駐輪場装置の制御手段に接続されたコンピュータシステム（ホストコンピュータ５及びウエブサーバー２４とからなる）であって、制御手段（１４）から駐輪場装置の二輪車保管手段の空き情報を収集して記憶する空き情報記憶手段（２２）、該記憶手段に記憶される空き情報を含む駐輪場装置のデータをコンテンツとするサイト（２５）を備えるウエブサーバー（２４）、ネットワークの端末機器から送信された駐輪場装置の利用申込みに基づき、利用申込者に駐輪場装置の特定の二輪車保管手段を割り当てる手段（２６）、その利用申込者を契約利用者とし、その契約利用者を特定するＩＤ情報を決めるＩＤ情報決定手段（２８）、及び、該契約利用者のＩＤ情報を駐輪場装置のＩＤ情報記憶装置に記憶させるために同ＩＤ情報を駐輪場装置の制御手段に送信するＩＤ情報送信手段を備え、空き情報記憶手段は、ＩＤ情報を含む契約利用者の利用契約に関する情報を記憶するようにしてあるコンピュータシステムと；を備える駐輪装置管理システムを提供する。
【０００７】
この管理システムにおいては、利用希望者は、自己の使用しているネットワーク端末機器から、随時、ウエブサーバーにアクセスして駐輪場装置における空き情報を知り、利用申込み、及び、契約を行うことができる。
【０００８】
上記コンピュータシステムは、利用申込みの契約が成立したことを示す情報を利用申込者の端末機器に送信する送信手段を備えるものとすることができる。契約成立の通知は、別途行うこともできるが、上記送信手段を備えることで、利用者に対して即座に、契約の成立を知らせることができる。
【０００９】
上記コンピュータシステムは、ＩＤ情報決定手段が二輪車保管手段の割り当てを行うことに応じて、割り当てられた二輪車保管手段のロック手段を施錠状態にするよう指示する信号を上記制御手段に送信するための送信手段を備えるものとすることができる。二輪車保管手段のロック手段は、自転車を取り出した段階では、開錠状態から施錠状態に戻されるようにするのが普通であろうが、そのようになっていなくとも、上記信号に基づき施錠にすることにより、当該新たな契約利用者が、割り当てられた二輪車保管手段を使用できる状態、すなわち、開錠状態のままにされていたために契約していない人が自転車をその保管手段に入れてしまうということを防止する状態にすることができる。
【００１０】
上記コンピュータシステムは、駐輪装置を運営する機関に設けられたホストコンピュータを有し、該ホストコンピュータが上記二輪車空き情報記憶手段、及び、該空き情報記憶手段に記憶された空き情報や上記契約に関する情報を上記ウエブサーバーにコンテンツとして送信する送信手段を備えるものとすることもできる。
【００１１】
また、本発明は、契約利用者の二輪車に対する施錠/開錠を行い二輪車入出庫を規制するロック手段をそれぞれ備える複数の二輪車保管手段、及び、上記ロック手段の施錠/開錠を制御する制御装置、を備える駐輪場装置であって、上記制御装置が、契約利用者を特定するＩＤ情報を記憶するＩＤ情報記憶手段、契約利用者がそのＩＤ情報を入力するＩＤ情報入力手段、該ＩＤ情報入力手段によって入力されたＩＤ情報を上記ＩＤ情報記憶手段に記憶されたＩＤ情報と照合し、利用者を識別する識別手段、空いている二輪車保管手段を表示する空き情報表示手段、空き情報表示手段に表示された空いている二輪車保管手段から契約利用者が、利用を希望する二輪車保管手段を指定入力する利用希望指定入力手段、該利用希望指定入力手段から入力された入力希望指定の情報と、上記識別手段からの識別結果の情報とに基き、利用希望指定の二輪車保管手段の上記ロック手段を制御する制御手段を有することを特徴とする駐輪場装置を提供する。
【００１２】
更に、本発明では、この駐輪場装置を管理するシステムとして、駐輪場装置の上記制御装置に接続されたコンピュータシステムを有し、該コンピュータシステムが、上記制御装置から上記駐輪場装置の二輪車保管手段の空き情報を収集して記憶する空き情報記憶手段、該記憶手段に記憶される空き情報を含む上記駐輪場装置のデータをコンテンツとするサイトを備えるウエブサーバー、ネットワークの端末機器から送信された上記駐輪場装置の二輪車保管手段の利用申込みに基づき、その利用申込者を契約利用者として、その契約利用者を特定するＩＤ情報を決めるＩＤ情報決定手段、及び、該契約利用者のＩＤ情報を上記駐輪場装置のＩＤ情報記憶装置に記憶させるために同ＩＤ情報を上記駐輪場装置の制御装置に送信するＩＤ情報送信手段を備え、上記空き情報記憶手段は、上記ＩＤ情報を含む契約利用者の利用契約に関する情報を記憶するようにしてある駐輪場装置管理システムを提供する。
【００１３】
上記コンピュータシステムは、利用申込みの契約が成立したことを示す情報を利用申込者の端末機器に送信する送信手段を備えるようにすることが好ましい。
【００１４】
【発明の実施形態】
図１は、本発明に係る駐輪場２を示す。該駐輪場は、二輪車を個々に保管するための複数の保管ラック４を備える駐輪場装置３を有しており、各保管ラックは二輪車Ｂを保管する際に、その前輪をロックするロック手段６を有している。駐輪場装置はまた、複数の保管ラック４を制御する制御装置５を備えており、該制御装置は、図２に示すように、当該駐輪場の利用者が自己のＩＤ情報を入力するＩＤ情報入力手段８と、利用者のＩＤ情報を記憶しておくＩＤ情報記憶手段１０と、ＩＤ情報入力手段８から入力されたＩＤ情報をＩＤ情報記憶手段１０に予め記録されたＩＤ情報と照合して、利用者の識別を行う識別手段１２と、識別結果に基づき、ロック手段６を制御する制御手段１４とを有している。
【００１５】
二輪車を駐輪する場合、利用者は、駐輪場入口に設けられたＩＤ情報入力手段８から自己のＩＤ情報を入力する。入力手段としてはＩＤ情報入力用キーボードやタッチパネル等の任意の手段を用いることができる。
【００１６】
入力されたＩＤ情報は、ＩＤ情報識別手段１２において識別され、契約利用者であることが識別された場合は、制御手段１４が当該利用者に割り当てられている保管ラック４のロック手段６にロック解除(開錠)の動作指令を与える。
【００１７】
図１に示す実施例では、ＩＤ情報入力手段８を駐輪場入口に設置した場合を示しているが、駐輪場の規模（収容台数）により、複数設置することもできる。この場合、利用者は、保管場所に一番近いＩＤ情報入力手段を利用することができる。
【００１８】
利用者が二輪車を、この保管ラック４へ駐輪した段階で、ロック手段６により同二輪車の前輪をロックする。
利用者が所用を済ませ、二輪車を出庫させる場合も、同じく、利用者が制御装置５のＩＤ情報入力手段８から自己のＩＤ情報を入力すると、そのＩＤ情報の識別が行われ、契約利用者であることが確認された場合、当該契約利用者の保管ラックのロック手段６が解除される。二輪車５の退出後は、同ラックＰを確保しておく為に、再びロック手段６はロック位置とされる。
【００１９】
図３は、上述の駐輪場２に関する管理システムを示す概略構成図である。図中２０は保管を行う保管会社等に設置されるホストコンピュータであり、駐輪場の所在地、保管ラックの空き情報等の駐輪場に関する種々のデータをストアしている記憶手段２２を備えている。該ホストコンピュータはウエブサーバ２４に接続されており、該ウエブサーバは、ホストコンピュータの送信手段２３から提供される駐輪場の保管ラックの空き情報等の種々のデータをコンテンツとするサイト２５を備えている。
【００２０】
ウエブサーバは、上記サイトで提供される駐輪場の情報を見て、ネットワークの端末機器ＰＣから送られてくる利用希望者の利用申込みに基づき同利用希望者への保管ラック４を割り当てる保管ラック割当手段２６と、契約利用者へのＩＤ情報を決定するＩＤ情報決定手段２８、情報送信手段３０等を備えている。
【００２１】
利用希望者はパソコン等の端末機器ＰＣに表示された上記サイトの駐輪場の情報を閲覧し、どこの駐輪場が利用可能かを検索する。利用希望者が所望の利用可能駐輪場を検索できた場合、同利用希望者は端末機器ＰＣより、同駐輪場の利用申込みする旨の情報を送信する。すなわち、希望の駐輪場、使用期間、料金支払方法、利用希望者の住所、氏名等を端末機器ＰＣにより入力する。ウエブサーバ２４では、利用希望者からの利用申込み情報を受信し、保管ラック割当手段２６が該利用申込者に特定の保管ラック４を割り当てる。同時にＩＤ情報決定手段がその契約利用者を特定するＩＤ情報を決め、このＩＤ情報は、当該利用希望者（契約利用者）からウエブサーバに送信されてきた契約に関する他の情報とともにホストコンピュータ２０に送信され、同ホストコンピュータの記憶手段２２に記憶される。また、同ＩＤ情報は、駐車場装置の制御装置５に送信されて、そのＩＤ情報記憶手段１０に記憶される。制御装置５は、同時に、上記割り当てられた保管ラック４を施錠状態にして同保管ラックを確保する。
【００２２】
前記ＩＤ情報は、利用者の覚え易いＩＤ情報に変更することが可能である。利用者は、ウエブサーバーにより付与された第１のＩＤ情報に対し、利用者が覚え易い第２のＩＤ情報を作成し、端末機器ＰＣより入力、送信する。ウエブサーバでは、第２のＩＤ情報が既に記憶されているＩＤ情報と同じでないかどうかを判別し、同じＩＤ情報が無ければ、第１のＩＤ情報を第２のＩＤ情報に置き換える処理を行い、第２のＩＤ情報が登録された旨を、また、第２のＩＤ情報が既に登録されているものと同じであればその旨を、利用者の端末機器ＰＣに送信する。これにより、各利用者は覚え易いＩＤ情報を登録することが可能となる。第２のＩＤ情報に置き換えられた場合には、そのＩＤ情報は、駐車場装置の制御装置５に送られ、ＩＤ情報記録手段１０記録される
上記の実施形態では、二輪車を保管する方法を、二輪車の車輪をロックする保管ラックとしているが、二輪車の入出庫を規制できる装置であれば、他の方法で代用可能である。また、保管ラックを上下方向に複数有する立体式、あるいは、水平方向にラックがスライドし、保管のためのスペースを削減できる保管形式を導入しても良い、このような場合は、ＩＤ情報の入力により、特定の二輪車だけが入出庫可能な位置へ自動的に移動させるようにすることが好ましい。
【００２３】
尚、上述の実施形態では、利用申込みがあった場合に、その利用希望者に、保管ラック割当手段２６によって特定の保管ラックを割り当て、ＩＤ情報決定手段が、その利用希望者を特定するＩＤ情報を決めるようになっており、駐輪場を利用するときには、ＩＤ情報を入力したことに応じて、その特定保管ラックを開錠するようになっているが、他の実施形態では、利用希望者に対して特定の保管ラックを割り当てる方式ではない方法も可能である。すなわち、利用希望者にはＩＤ情報だけを決定しておき、そのＩＤ情報が駐車場装置の制御装置５に入力されたときには、そのときに空いている保管ラックのうちから1つの保管ラックを開錠状態にして使用可能にする方法である。図４及び図５には、そのような実施形態の1つが示されている。すなわち、この実施形態では、図５に示す如きタッチパネル式のＩＤ情報入力手段８に、保管ラックの表示手段もしくは（保管ラックの）空き情報表示手段１５を用意しておき、利用可能な保管ラックを発光ダイオードなどの発光表示手段により表示し、利用者がＩＤ情報を入力する前もしくは入力した後に、利用可能な保管ラックから利用しようとする1つの保管ラックを表示する発光表示手段の部分（すなわち、利用希望の保管ラックを指定し入力するための利用希望指定入力手段）にタッチすることにより当該利用しようとする保管ラックの指定を行い、この指定による入力情報とＩＤ情報とにより、利用しようとする保管ラックの制御を行う。
【００２４】
【発明の効果】
本発明の駐輪装置管理システムは、上記の如く構成されるものであり、利用者が随時、駐輪場の検索、予約することができ、二輪車保管庫の利用率を向上させることができる。また、駐輪場を運営する会社等にとっても、予約申込み処理、駐車場管理が容易になる。利用者特定のＩＤ情報により管理することができるため、発行カード等の携帯が不要となり、利用者の操作を簡略化することができる。
【図面の簡単な説明】
【図１】本発明に係る駐輪場の平面図である。
【図２】本発明に係る駐輪場装置の制御装置の概念図である。
【図３】本発明に係る駐輪場装置管理システムの概念図である。
【図４】本発明に係る駐輪場装置の制御装置の他の実施形態を示す概念図である。
【図５】同他の実施形態に係る制御装置に設けられるタッチパネル式のＩＤ情報入力手段を示す図である。
【符号の説明】
駐輪場              ２
保管ラック          ４
制御装置            ５
ロック手段          ６
ＩＤ情報入力手段    ８
ＩＤ情報記憶手段    １０
識別手段            １２
制御手段            １４
表示手段            １５
ホストコンピュータ  ２０
記憶手段            ２２
ウエブサーバ        ２４
サイト              ２５
保管ラック割当手段  ２６
ＩＤ情報決定手段    ２８
【図１】
0004115731.tif 000002
【図２】
0004115731.tif 000003
【図３】
0004115731.tif 000004
【図４】
0004115731.tif 000005
【図５】
0004115731.tif 000006